(57)【要約】【課題】セットトップボックスもしくはエンコーダー等の映像を処理する装置、または映像を当該装置へ伝送するための伝送部を検査対象とした試験を行う場合において、映像の評価を効率よく行うことが可能な映像信号検査システムおよび映像信号検査方法を提供する。【解決手段】映像信号検査システムは、映像を示し、かつ前記映像の画面を分割した複数の分割画面をそれぞれ示す複数の分割映像信号を生成可能な映像信号を受信する受信部と、前記受信部によって受信された前記映像信号に対応する前記複数の分割映像信号のうちの一部の前記分割映像信号を出力する変換部と、前記変換部から受けた前記分割映像信号に基づいて前記映像信号に関する評価を行う評価部とを備える。【選択図】図１
2017069702.tif 000002
【特許請求の範囲】
【請求項１】
映像を示し、かつ前記映像の画面を分割した複数の分割画面をそれぞれ示す複数の分割映像信号を生成可能な映像信号を受信する受信部と、
前記受信部によって受信された前記映像信号に対応する前記複数の分割映像信号のうちの一部の前記分割映像信号を出力する変換部と、
前記変換部から受けた前記分割映像信号に基づいて前記映像信号に関する評価を行う評価部とを備える、映像信号検査システム。
【請求項２】
前記変換部は、前記映像信号に対応するすべての前記分割映像信号を出力し、
前記映像信号検査システムは、
前記分割映像信号ごとに設けられた複数の前記評価部を備える、請求項１に記載の映像信号検査システム。
【請求項３】
前記評価部は、評価用の映像信号に対応する複数の前記分割映像信号のうちの一部の前記分割映像信号を出力し、
前記映像信号検査システムは、さらに、
前記評価部から受けた前記分割映像信号を一部として含む前記映像信号を生成して他の装置へ送信する信号生成部を備え、
前記受信部は、前記他の装置を介して前記映像信号を受信する、請求項１に記載の映像信号検査システム。
【請求項４】
前記変換部は、前記映像信号に対応する前記複数の分割映像信号を順番に出力することにより、前記複数の分割映像信号をすべて出力する、請求項１および請求項３のいずれか１項に記載の映像信号検査システム。
【請求項５】
受信部と、変換部と、評価部とを備える映像信号検査システムにおける映像信号検査方法であって、
前記受信部が、映像を示し、かつ前記映像の画面を分割した複数の分割画面をそれぞれ示す複数の分割映像信号を生成可能な映像信号を受信するステップと、
前記変換部が、前記受信部によって受信された前記映像信号に対応する前記複数の分割映像信号のうちの一部の前記分割映像信号を出力するステップと、
前記評価部が、前記変換部から受けた前記分割映像信号に基づいて前記映像信号に関する評価を行うステップとを含む、映像信号検査方法。
【発明の詳細な説明】
【技術分野】
【０００１】
本発明は、映像信号検査システムおよび映像信号検査方法に関し、特に、分割した画面を用いる映像信号検査システムおよび映像信号検査方法に関する。
【背景技術】
【０００２】
映像の品質の評価を自動で行うための技術が開発されている。たとえば、非特許文献１（”ベースバンド・コンテンツ品質検査装置  ＶＱ−ＢＢ１０”、［ｏｎｌｉｎｅ］、［平成２７年８月２８日検索］、インターネット〈ＵＲＬ：ｈｔｔｐ：／／ｗｗｗ．ｎｉｋｏｎ−ｓｙｓ．ｃｏ．ｊｐ／ｐｒｏｄｕｃｔｓ／ｃｅｃ／ｖｑ−ｂｂ１０／ｉｎｄｅｘ．ｈｔｍ〉）には、映像の品質を自動かつリアルタイムで検査するための映像検査装置が記載されている。
【０００３】
映像検査装置では、映像製作で主に使用されるＶＴＲデッキのＨＤ（Ｈｉｇｈ  Ｄｅｆｉｎｉｔｉｏｎ）−ＳＤＩ（Ｓｅｒｉａｌ  Ｄｉｇｉｔａｌ  Ｉｎｔｅｒｆａｃｅ）出力信号を入力することにより、比較映像無しで「テープ素材の特有のノイズ（テープノイズ）」、「光点滅」および「ラウドネス」といった検査を１台で行うことが可能である。
【０００４】
また、非特許文献２（”デジタルコンテンツ・自動検査システム  ＢＡＴＯＮ”、［ｏｎｌｉｎｅ］、［平成２７年８月２８日検索］、インターネット〈ＵＲＬ：ｈｔｔｐ：／／ｗｗｗ．ｉｔａｃｃｅｓｓ．ｃｏ．ｊｐ／ｐｒｏｄｕｃｔｓ／ｉｎｔｅｒｒａ＿ｂａｔｏｎ／ｐｄｆ／ＢＡＴＯＮ．ｐｄｆ〉）には、デジタルコンテンツの品質を自動で検査するための自動検査システムが記載されている。自動検査システムでは、圧縮または非圧縮の映像を含む映像ファイルの品質検査がたとえばサーバにおいて行われる。
【先行技術文献】
【非特許文献】
【０００５】
【非特許文献１】”ベースバンド・コンテンツ品質検査装置  ＶＱ−ＢＢ１０”、［ｏｎｌｉｎｅ］、［平成２７年８月２８日検索］、インターネット〈ＵＲＬ：ｈｔｔｐ：／／ｗｗｗ．ｎｉｋｏｎ−ｓｙｓ．ｃｏ．ｊｐ／ｐｒｏｄｕｃｔｓ／ｃｅｃ／ｖｑ−ｂｂ１０／ｉｎｄｅｘ．ｈｔｍ〉
【非特許文献２】”デジタルコンテンツ・自動検査システム  ＢＡＴＯＮ”、［ｏｎｌｉｎｅ］、［平成２７年８月２８日検索］、インターネット〈ＵＲＬ：ｈｔｔｐ：／／ｗｗｗ．ｉｔａｃｃｅｓｓ．ｃｏ．ｊｐ／ｐｒｏｄｕｃｔｓ／ｉｎｔｅｒｒａ＿ｂａｔｏｎ／ｐｄｆ／ＢＡＴＯＮ．ｐｄｆ〉
【非特許文献３】”タイムラグチェッカー  ＥＤＤ−５２００”、［ｏｎｌｉｎｅ］、［平成２７年８月２８日検索］、インターネット〈ＵＲＬ：ｈｔｔｐ：／／ｗｗｗ．ｙｅｍｅｌｅｔｅｘ．ｃｏ．ｊｐ／ｂｕｓｉｎｅｓｓ／ｐｄｆ／５２−ＥＤＤ５２００．ｐｄｆ〉
【非特許文献４】「ＳＭＰＴＥ  ＳＴ  ４３５−１：２０１２  １０  Ｇｂ／ｓ  Ｓｅｒｉａｌ  Ｓｉｇｎａｌ／Ｄａｔａ  Ｉｎｔｅｒｆａｃｅ−Ｐａｒｔ  １：Ｂａｓｉｃ  Ｓｔｒｅａｍ  Ｄｅｒｉｖａｔｉｏｎ」、ＳＭＰＴＥ  ＳＴＡＮＤＡＲＤＳ、Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ、Ａｐｐｒｏｖｅｄ  Ａｕｇｕｓｔ  １，２０１２
【非特許文献５】”ＤｅｃｋＬｉｎｋ  ４Ｋ  Ｅｘｔｒｅｍｅ  １２Ｇ”、［ｏｎｌｉｎｅ］、［平成２７年８月２８日検索］、インターネット〈ＵＲＬ：ｈｔｔｐｓ：／／ｗｗｗ．ｂｌａｃｋｍａｇｉｃｄｅｓｉｇｎ．ｃｏｍ／ｊｐ／ｓｔｏｒｅ／ｒｅｃｏｒｄ−ｃａｐｔｕｒｅ−ｐｌａｙｂａｃｋ／ｄｅｃｋｌｉｎｋ／Ｗ−ＤＬＫ−２５〉
【非特許文献６】”Ｍｉｎｉ  Ｃｏｎｖｅｒｔｅｒ  ＳＤＩ  Ｄｉｓｔｒｉｂｕｔｉｏｎ  ４Ｋ”、［ｏｎｌｉｎｅ］、［平成２７年８月２８日検索］、インターネット〈ＵＲＬ：ｈｔｔｐｓ：／／ｗｗｗ．ｂｌａｃｋｍａｇｉｃｄｅｓｉｇｎ．ｃｏｍ／ｊｐ／ｐｒｏｄｕｃｔｓ／ｍｉｎｉｃｏｎｖｅｒｔｅｒｓ／ｔｅｃｈｓｐｅｃｓ／Ｗ−ＣＯＮＭ−２１〉
【発明の概要】
【発明が解決しようとする課題】
【０００６】
たとえば、セットトップボックスもしくはエンコーダー等の映像を処理する装置、または映像を当該装置へ伝送するための伝送部では、映像の圧縮もしくはデコード等の映像処理、または映像の伝送において、データの欠落または映像品質の劣化が想定されるため、当該装置および伝送部を検査対象とした試験が求められる場合がある。
【０００７】
このような試験を行う装置として、たとえば、非特許文献１に記載の映像検査装置は、１９２０×１０８０の解像度を有する映像（以下、２Ｋ映像とも称する。）の品質の検査を自動かつリアルタイムで行うことが可能である。しかしながら、映像検査装置は、たとえば、２１６０ｐの規格に従う、３８４０×２１６０の解像度を有する映像（以下、４Ｋ映像とも称する。）の入力に対応していないため、映像検査装置を用いて４Ｋ映像の品質の検査を自動かつリアルタイムで行うことは困難である。
【０００８】
一方、非特許文献２に記載の自動検査システムでは、４Ｋ映像を含む映像ファイルの品質を自動で検査することが可能であるが、高スペックのサーバを用いる場合においても品質検査に要する時間が長くなってしまうため、４Ｋ映像の品質をリアルタイムで検査することは困難である。また、圧縮されていない４Ｋ映像を含む映像ファイルを保存するための大容量の記憶装置をサーバに設ける必要がある。
【０００９】
この発明は、上述の課題を解決するためになされたもので、その目的は、映像の評価を効率よく行うことが可能な映像信号検査システムおよび映像信号検査方法を提供することである。
【課題を解決するための手段】
【００１０】
（１）上記課題を解決するために、この発明のある局面に係わる映像信号検査システムは、映像を示し、かつ前記映像の画面を分割した複数の分割画面をそれぞれ示す複数の分割映像信号を生成可能な映像信号を受信する受信部と、前記受信部によって受信された前記映像信号に対応する前記複数の分割映像信号のうちの一部の前記分割映像信号を出力する変換部と、前記変換部から受けた前記分割映像信号に基づいて前記映像信号に関する評価を行う評価部とを備える。
【００１１】
（５）上記課題を解決するために、この発明のある局面に係わる映像信号検査方法は、受信部と、変換部と、評価部とを備える映像信号検査システムにおける映像信号検査方法であって、前記受信部が、映像を示し、かつ前記映像の画面を分割した複数の分割画面をそれぞれ示す複数の分割映像信号を生成可能な映像信号を受信するステップと、前記変換部が、前記受信部によって受信された前記映像信号に対応する前記複数の分割映像信号のうちの一部の前記分割映像信号を出力するステップと、前記評価部が、前記変換部から受けた前記分割映像信号に基づいて前記映像信号に関する評価を行うステップとを含む。
【００１２】
本発明は、このような特徴的な処理部を備える映像信号検査システムとして実現できるだけでなく、かかる特徴的な処理部を備える映像信号検査装置として実現したり、かかるステップをコンピュータに実行させるためのプログラムとして実現したりすることができる。また、映像信号検査システムの一部または全部を実現する半導体集積回路として実現することができる。
【発明の効果】
【００１３】
本発明によれば、映像の評価を効率よく行うことができる。
【図面の簡単な説明】
【００１４】
【図１】図１は、本発明の第１の実施の形態に係る映像信号検査システムの構成を示す図である。
【図２】図２は、本発明の第１の実施の形態に係る映像信号検査システムにおいて用いられるテスト映像の一例を示す図である。
【図３】図３は、本発明の第１の実施の形態に係る映像信号検査システムにおいてテスト映像の評価処理が行われる際のシーケンスの一例を示す図である。
【図４】図４は、本発明の第２の実施の形態に係る映像信号検査システムの構成を示す図である。
【図５】図５は、本発明の第２の実施の形態に係る映像信号検査システムにおいてテスト映像の評価処理が行われる際のシーケンスの一例を示す図である。
【図６】図６は、本発明の第３の実施の形態に係る映像信号検査システムの構成を示す図である。
【図７】図７は、本発明の第３の実施の形態に係る映像信号検査システムにおいて用いられるテスト映像の一例を示す図である。
【図８】図８は、本発明の第３の実施の形態に係る映像信号検査システムにおいて２Ｋテスト映像の評価処理が行われる際のシーケンスの一例を示す図である。
【発明を実施するための形態】
【００１５】
最初に、本発明の実施形態の内容を列記して説明する。
【００１６】
（１）本発明の実施の形態に係る映像信号検査システムは、映像を示し、かつ前記映像の画面を分割した複数の分割画面をそれぞれ示す複数の分割映像信号を生成可能な映像信号を受信する受信部と、前記受信部によって受信された前記映像信号に対応する前記複数の分割映像信号のうちの一部の前記分割映像信号を出力する変換部と、前記変換部から受けた前記分割映像信号に基づいて前記映像信号に関する評価を行う評価部とを備える。
【００１７】
このように、情報量のより少ない分割映像信号に基づいて、情報量のより多い映像信号に関する評価を行う構成により、たとえば上記映像の一部の品質の評価を自動かつリアルタイムで行うことができるので、信号処理の負荷が大きい当該映像全体の品質評価を行うことなく映像信号に関する評価を良好に行うことができる。したがって、映像の評価を効率よく行うことができる。
【００１８】
（２）好ましくは、前記変換部は、前記映像信号に対応するすべての前記分割映像信号を出力し、前記映像信号検査システムは、前記分割映像信号ごとに設けられた複数の前記評価部を備える。
【００１９】
このような構成により、たとえば上記映像全体の品質評価を自動かつリアルタイムで行うことができる。
【００２０】
（３）好ましくは、前記評価部は、評価用の映像信号に対応する複数の前記分割映像信号のうちの一部の前記分割映像信号を出力し、前記映像信号検査システムは、さらに、前記評価部から受けた前記分割映像信号を一部として含む前記映像信号を生成して他の装置へ送信する信号生成部を備え、前記受信部は、前記他の装置を介して前記映像信号を受信する。
【００２１】
このように、評価部が、分割映像信号を出力し、当該分割映像信号を変換部から受ける構成により、信号生成部、他の装置、受信部および変換部における分割映像信号または対応の映像信号の処理時間の合計を計測することができるので、映像信号検査システムにおける信号処理の遅延時間を評価することができる。
【００２２】
（４）好ましくは、前記変換部は、前記映像信号に対応する前記複数の分割映像信号を順番に出力することにより、前記複数の分割映像信号をすべて出力する。
【００２３】
このような構成により、評価部は、各分割映像信号を万遍なく受けることができるので、評価対象の分割画面が偏ることを防ぐことができる。これにより、映像信号に関する評価結果の均質化を図ることができる。
【００２４】
（５）本発明の実施の形態に係る映像信号検査方法は、受信部と、変換部と、評価部とを備える映像信号検査システムにおける映像信号検査方法であって、前記受信部が、映像を示し、かつ前記映像の画面を分割した複数の分割画面をそれぞれ示す複数の分割映像信号を生成可能な映像信号を受信するステップと、前記変換部が、前記受信部によって受信された前記映像信号に対応する前記複数の分割映像信号のうちの一部の前記分割映像信号を出力するステップと、前記評価部が、前記変換部から受けた前記分割映像信号に基づいて前記映像信号に関する評価を行うステップとを含む。
【００２５】
このように、情報量のより少ない分割映像信号に基づいて、情報量のより多い映像信号に関する評価を行う構成により、たとえば上記映像の一部の品質の評価を自動かつリアルタイムで行うことができるので、信号処理の負荷が大きい当該映像全体の品質評価を行うことなく映像信号に関する評価を良好に行うことができる。したがって、映像の評価を効率よく行うことができる。
【００２６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２７】
＜第１の実施の形態＞
［映像信号検査システムの構成および基本動作］
図１は、本発明の第１の実施の形態に係る映像信号検査システムの構成を示す図である。
【００２８】
図１を参照して、映像信号検査システム３０１は、映像信号分割装置（受信部および変換部）１０１と、映像品質評価装置（評価部）１５１と、テスト映像生成装置１６１と、ＳＴＢ（Ｓｅｔ  Ｔｏｐ  Ｂｏｘ）１６２と、記録装置１６３とを備える。
【００２９】
図２は、本発明の第１の実施の形態に係る映像信号検査システムにおいて用いられるテスト映像の一例を示す図である。
【００３０】
図１および図２を参照して、映像信号検査システム３０１におけるテスト映像生成装置１６１は、たとえば、映像の品質を評価するための毎秒６０フレームのテスト映像ＴＰ１を生成する。ここで、テスト映像ＴＰ１は、たとえば、２１６０ｐの規格に従う、３８４０×２１６０の解像度を有する４Ｋ映像である。また、テスト映像ＴＰ１等の映像は、たとえば画像および音声を含む。
【００３１】
テスト映像ＴＰ１は、たとえば、非特許文献４に記載されたＳｑｕａｒｅ  ｄｉｖｉｓｉｏｎの方法に従って、１９２０×１０８０の解像度を有する４つの２Ｋ映像に分割することが可能である。
【００３２】
これらの２Ｋ映像の画面は、テスト映像ＴＰ１の画面をたとえば均等に４つに分割した分割画面である。なお、分割画面は、テスト映像ＴＰ１の画面を不均等に４つに分割して生成されてもよいし、テスト映像ＴＰ１の画面を２つ、３つまたは５つ以上に均等または不均等に分割して生成されてもよい。
【００３３】
以下、これら４つの２Ｋ映像のうち、左上の２Ｋ映像、左下の２Ｋ映像、右下の２Ｋ映像および右上の２Ｋ映像を、それぞれ２Ｋ映像ＤＰ１、２Ｋ映像ＤＰ２、２Ｋ映像ＤＰ３および２Ｋ映像ＤＰ４とも称する。
【００３４】
テスト映像ＴＰ１は、たとえば番組もしくは映画、またはカラーバー等のテストパターンである。また、テスト映像ＴＰ１には、映像の表示タイミングおよび音声の出力タイミングの同期を評価するための同期確認表示および同期確認音声が含まれる。
【００３５】
ここで、同期確認表示は、たとえば同期タイミングを示す表示である。具体的には、同期確認表示は、たとえば、画面の全部または一部を短時間白く表示するフラッシュ、画面の全部または一部における表示模様の切り替え、またはバーコード等の識別子の更新である。
【００３６】
同期確認音声は、たとえば同期タイミングを示す音声である。具体的には、同期確認音声は、たとえば、ビープ音、またはビット列を表す音声である。
【００３７】
この例では、同期確認表示は、画面の一部のフラッシュであり、２Ｋ映像ＤＰ１に含まれる。また、同期確認音声はビープ音である。
【００３８】
なお、テスト映像ＴＰ１は、たとえば、ＤＣＩ（Ｄｉｇｉｔａｌ  Ｃｉｎｅｍａ  Ｉｎｉｔｉａｔｉｖｅｓ）  ４Ｋの規格に従う、４０９６×２１６０の解像度を有する４Ｋ映像であってもよい。
【００３９】
テスト映像生成装置１６１は、生成したテスト映像ＴＰ１をたとえばＨ．２６５の規格に従って圧縮することにより圧縮テスト映像ＣＴＰ１を生成する。
【００４０】
テスト映像生成装置１６１は、たとえば、生成した圧縮テスト映像ＣＴＰ１をＴＳパケットに格納し、当該ＴＳパケットをＲＦ（Ｒａｄｉｏ  Ｆｒｅｑｕｅｎｃｙ）信号に含めて送信するか、または当該圧縮テスト映像ＣＴＰ１をＴＴＳ（Ｔｉｍｅｓｔａｍｐｅｄ  ＴＳ）パケットに格納し、当該ＴＴＳパケットをＩＰ（Ｉｎｔｅｒｎｅｔ  Ｐｒｏｔｏｃｏｌ）プロトコルに従って送信することが可能である。
【００４１】
この例では、テスト映像生成装置１６１は、ＴＴＳパケットを含むＩＰパケットをインターネットまたはＬＡＮ（Ｌｏｃａｌ  Ａｒｅａ  Ｎｅｔｗｏｒｋ）経由でＳＴＢ１６２へ送信する。
【００４２】
図１を参照して、ＳＴＢ１６２は、たとえば、ＴＴＳパケットを含むＩＰパケットをテスト映像生成装置１６１から受信すると、受信したＩＰパケットに含まれるＴＴＳパケットから圧縮テスト映像ＣＴＰ１を取得する。そして、ＳＴＢ１６２は、たとえば、取得した圧縮テスト映像ＣＴＰ１をデコードすることにより非圧縮のテスト映像ＴＰ１を再生する。
【００４３】
ＳＴＢ１６２は、たとえば、再生したテスト映像ＴＰ１を示す信号である映像信号ＰＳ１をＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）規格に従って映像信号分割装置１０１へ送信する。
【００４４】
映像信号分割装置１０１は、映像を示し、かつ当該映像の画面を分割した複数の分割画面をそれぞれ示す複数の分割映像信号を生成可能な映像信号ＰＳ１を受信する。
【００４５】
より詳細には、映像信号分割装置１０１は、たとえば、映像信号ＰＳ１をＳＴＢ１６２から受信すると、受信した映像信号ＰＳ１からテスト映像ＴＰ１を取得する。そして、映像信号分割装置１０１は、たとえば、非特許文献４に記載されたＳｑｕａｒｅ  ｄｉｖｉｓｉｏｎの方法に従って、取得したテスト映像ＴＰ１を４つに分割することにより２Ｋ映像ＤＰ１、ＤＰ２、ＤＰ３およびＤＰ４を生成する。
【００４６】
映像信号分割装置１０１は、たとえば、２Ｋ映像ＤＰ１、ＤＰ２、ＤＰ３およびＤＰ４をそれぞれ示す信号である分割映像信号ＤＰＳ１、ＤＰＳ２、ＤＰＳ３およびＤＰＳ４を生成することが可能である。
【００４７】
映像信号分割装置１０１は、受信した映像信号ＰＳ１に対応する複数の分割映像信号のうちの一部の分割映像信号を送信する。
【００４８】
具体的には、映像信号分割装置１０１は、たとえば、分割映像信号ＤＰＳ１、ＤＰＳ２、ＤＰＳ３およびＤＰＳ４のうちの分割映像信号ＤＰＳ１をＳＤＩケーブル経由で映像品質評価装置１５１へ送信する。
【００４９】
映像品質評価装置１５１は、映像信号分割装置１０１から受信した分割映像信号ＤＰＳ１に基づいて映像信号ＰＳ１に関する評価を行う。
【００５０】
具体的には、映像品質評価装置１５１は、たとえば、映像信号分割装置１０１から分割映像信号ＤＰＳ１を受信すると、受信した分割映像信号ＤＰＳ１に基づいて、同期確認表示および同期確認音声を含む２Ｋ映像ＤＰ１の、画像および音声の評価を行う。
【００５１】
より詳細には、映像品質評価装置１５１は、たとえば、分割映像信号ＤＰＳ１から２Ｋ映像ＤＰ１を取得し、取得した２Ｋ映像ＤＰ１における、画面全体に及ぶフレームスキップ、画面全体のノイズ、ブラックアウト、ならびに画像および音声の同期を評価する。
【００５２】
ここで、フレームスキップは、たとえば１秒間に６０フレームの画像が表示されるべき場合において、１秒間に５９以下のフレームの画像しか表示されないことである。
【００５３】
ブラックアウトは、たとえば、画面全体が一瞬黒くなることである。なお、画面の一部が黒くなるケースはノイズとして扱われる。
【００５４】
画像および音声の同期は、画像の表示タイミング、および当該画像に対応する音声の出力タイミングのずれであり、たとえば、同期確認表示の表示タイミングおよび同期確認音声の出力タイミングのずれに基づいて評価される。
【００５５】
このように、映像品質評価装置１５１が、テスト映像ＴＰ１の一部である２Ｋ映像ＤＰ１の評価を行う構成により、テスト映像ＴＰ１全体を評価する場合と比べて処理負荷を軽減することができるので、映像信号ＰＳ１に関する評価を自動かつリアルタイムで行うことができる。
【００５６】
なお、映像品質評価装置１５１は、２Ｋ映像ＤＰ１の評価を行う構成に限らず、２Ｋ映像ＤＰ２〜ＤＰ４のいずれか１つの評価を行う構成であってもよい。
【００５７】
映像品質評価装置１５１は、たとえば、２Ｋ映像ＤＰ１の評価が完了すると、ＲＳ２３２Ｃ等の通信規格に従って評価結果を記録装置１６３へ送信する。
【００５８】
記録装置１６３は、たとえば、映像品質評価装置１５１から評価結果を受信すると、受信した評価結果をファイル等に記録する。評価者は、たとえば、記録装置１６３により記録されたファイルの内容を参照して２Ｋ映像ＤＰ１の品質の評価結果を認識することができる。
【００５９】
［映像信号検査システム３０１の変形例］
たとえば、映像信号分割装置１０１は、ＳＴＢ１６２から受信した映像信号に対応する複数の分割映像信号を順番に送信することにより、複数の分割映像信号をすべて送信する。
【００６０】
この変形例では、同期確認表示は、画面の一部のフラッシュであり、２Ｋ映像ＤＰ１〜ＤＰ４のすべてに含まれる。また、同期確認音声はビープ音である。
【００６１】
映像信号分割装置１０１は、たとえば、分割映像信号ＤＰＳ１、ＤＰＳ２、ＤＰＳ３およびＤＰＳ４を、この順番で１分ごとに切り替えながらＳＤＩケーブル経由で映像品質評価装置１５１へ送信する。
【００６２】
映像品質評価装置１５１は、映像信号分割装置１０１から受信する分割映像信号ＤＰＳ１、ＤＰＳ２、ＤＰＳ３およびＤＰＳ４のいずれか１つに基づいて映像信号ＰＳ１に関する評価を行う。
【００６３】
［動作］
映像信号検査システムにおける各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００６４】
図３は、本発明の第１の実施の形態に係る映像信号検査システムにおいてテスト映像の評価処理が行われる際のシーケンスの一例を示す図である。
【００６５】
図３を参照して、まず、テスト映像生成装置１６１は、テスト映像ＴＰ１を生成する（ステップＳ１０２）。
【００６６】
次に、テスト映像生成装置１６１は、生成したテスト映像ＴＰ１を圧縮することにより圧縮テスト映像ＣＴＰ１を生成する（ステップＳ１０４）。
【００６７】
次に、テスト映像生成装置１６１は、生成した圧縮テスト映像ＣＴＰ１をたとえばＴＴＳパケットに格納し、当該ＴＴＳパケットを含むＩＰパケットをＳＴＢ１６２へ送信する（ステップＳ１０６）。
【００６８】
次に、ＳＴＢ１６２は、ＴＴＳパケットを含むＩＰパケットをテスト映像生成装置１６１から受信すると、受信したＩＰパケットに含まれるＴＴＳパケットから圧縮テスト映像ＣＴＰ１を取得し、取得した圧縮テスト映像ＣＴＰ１をデコードすることによりテスト映像ＴＰ１を再生する（ステップＳ１０８）。
【００６９】
次に、ＳＴＢ１６２は、テスト映像ＴＰ１を含む映像信号ＰＳ１をＨＤＭＩ規格に従って映像信号分割装置１０１へ送信する（ステップＳ１１０）。
【００７０】
次に、映像信号分割装置１０１は、ＳＴＢ１６２から映像信号ＰＳ１を受信すると、受信した映像信号ＰＳ１からテスト映像ＴＰ１を取得し、取得したテスト映像ＴＰ１を４つに分割することにより２Ｋ映像ＤＰ１〜ＤＰ４を生成する（ステップＳ１１２）。
【００７１】
次に、映像信号分割装置１０１は、２Ｋ映像ＤＰ１を示す分割映像信号ＤＰＳ１をＳＤＩケーブル経由で映像品質評価装置１５１へ送信する（ステップＳ１１４）。
【００７２】
次に、映像品質評価装置１５１は、映像信号分割装置１０１から分割映像信号ＤＰＳ１を受信すると、受信した分割映像信号ＤＰＳ１に基づいて映像信号ＰＳ１に関する評価を行う。具体的には、映像品質評価装置１５１は、分割映像信号ＤＰＳ１に含まれる２Ｋ映像ＤＰ１の表示および音声の評価を行う（ステップＳ１１６）。
【００７３】
次に、映像品質評価装置１５１は、２Ｋ映像ＤＰ１の評価結果を記録装置１６３へ送信する（ステップＳ１１８）。
【００７４】
なお、映像信号分割装置１０１は、上記ステップＳ１１４において、分割映像信号ＤＰＳ１、ＤＰＳ２、ＤＰＳ３およびＤＰＳ４を、この順番で１分ごとに切り替えながらＳＤＩケーブル経由で映像品質評価装置１５１へ送信してもよい。
【００７５】
また、本発明の第１の実施の形態に係る映像信号検査システムでは、映像信号分割装置１０１が受信部および変換部として機能し、また、映像品質評価装置１５１が評価部として機能する構成であるとしたが、これに限定するものではない。映像信号検査システムでは、受信部、変換部および評価部の機能の全部が１つの装置に集中してもよいし、これらの機能の一部が上記以外の組み合わせで複数の装置に分散されてもよいし、また、これらの機能の全部が複数の装置に分散されてもよい。
【００７６】
また、本発明の第１の実施の形態に係る映像信号検査システムでは、映像信号分割装置１０１は、映像信号ＰＳ１に対応する複数の分割映像信号のうちの１つの分割映像信号を送信する構成であるとしたが、これに限定するものではない。映像信号分割装置１０１は、複数の分割映像信号のうちの一部である複数の分割映像信号を送信する構成であってもよい。
【００７７】
ところで、たとえば、セットトップボックスもしくはエンコーダー等の映像を処理する装置、または映像を当該装置へ伝送するための伝送部では、映像の圧縮もしくはデコード等の映像処理、または映像の伝送において、データの欠落または映像品質の劣化が想定されるため、当該装置および伝送部を検査対象とした試験が求められる場合がある。
【００７８】
このような試験を行う装置として、たとえば、非特許文献１に記載の映像検査装置は、１９２０×１０８０の解像度を有する２Ｋ映像の品質の検査を自動かつリアルタイムで行うことが可能である。しかしながら、上記映像検査装置は、たとえば、２１６０ｐの規格に従う、３８４０×２１６０の解像度を有する４Ｋ映像の入力に対応していないため、上記映像検査装置を用いて４Ｋ映像の品質の検査を自動かつリアルタイムで行うことは困難である。
【００７９】
一方、非特許文献２に記載の自動検査システムでは、４Ｋ映像を含む映像ファイルの品質を自動で検査することが可能であるが、高スペックのサーバを用いる場合においても品質検査に要する時間が長くなってしまうため、４Ｋ映像の品質をリアルタイムで検査することが困難である。また、圧縮されていない４Ｋ映像を含む映像ファイルを保存するための大容量の記憶装置をサーバに設ける必要がある。
【００８０】
より詳細には、たとえば、ユーザが同じ番組を長時間視聴した場合における、ＳＴＢ１６２による映像の乱れをチェックしたいという要望がある。しかしながら、たとえば、１分間の非圧縮の４Ｋ映像を含む映像ファイルは１ギガバイトの情報量を有するため、１日分以上の非圧縮の４Ｋ映像を含む映像ファイルをサーバにおける記憶装置に一時的に保存して評価することは容易ではない。
【００８１】
これに対して、本発明の第１の実施の形態に係る映像信号検査システムでは、映像信号分割装置１０１は、４Ｋ映像を示し、かつ当該４Ｋ映像の画面を分割した複数の分割画面をそれぞれ示す複数の分割映像信号を生成可能な映像信号ＰＳ１を受信する。映像信号分割装置１０１は、受信した映像信号ＰＳ１に対応する複数の分割映像信号のうちの一部の分割映像信号、たとえば分割映像信号ＤＰＳ１を送信する。そして、映像品質評価装置１５１は、映像信号分割装置１０１から受信した分割映像信号ＤＰＳ１に基づいて映像信号ＰＳ１に関する評価を行う。
【００８２】
このように、情報量のより少ない分割映像信号ＤＰＳ１に基づいて、情報量のより多い映像信号ＰＳ１に関する評価を行う構成により、たとえば４Ｋ映像の一部の品質の評価を自動かつリアルタイムで行うことができるので、信号処理の負荷が大きい４Ｋ映像全体の品質評価を行うことなく映像信号ＰＳ１に関する評価を良好に行うことができる。したがって、映像の評価を効率よく行うことができる。
【００８３】
また、本発明の第１の実施の形態に係る映像信号検査システムでは、映像信号分割装置１０１は、映像信号ＰＳ１に対応する複数の分割映像信号を順番に送信することにより、複数の分割映像信号をすべて送信する。
【００８４】
このような構成により、映像品質評価装置１５１は、各分割映像信号を万遍なく受信することができるので、評価対象の分割画面が偏ることを防ぐことができる。これにより、映像信号ＰＳ１に関する評価結果の均質化を図ることができる。
【００８５】
次に、本発明の他の実施の形態について図面を用いて説明する。なお、図中同一または相当部分には同一符号を付してその説明は繰り返さない。
【００８６】
＜第２の実施の形態＞
本実施の形態は、第１の実施の形態に係る映像信号検査システムと比べて、テスト映像全体を評価する映像信号検査システムに関する。以下で説明する内容以外は第１の実施の形態に係る映像信号検査システムと同様である。
【００８７】
［映像信号検査システムの構成および基本動作］
図４は、本発明の第２の実施の形態に係る映像信号検査システムの構成を示す図である。
【００８８】
図４を参照して、映像信号検査システム３０２は、映像信号分割装置（受信部および変換部）１０２と、分割映像信号ごとに設けられた映像品質評価装置（評価部）１５１Ａ，１５１Ｂ，１５１Ｃ，１５１Ｄと、テスト映像生成装置１６１と、ＳＴＢ１６２と、記録装置１６３とを備える。
【００８９】
以下、映像品質評価装置１５１Ａ，１５１Ｂ，１５１Ｃ，１５１Ｄの各々を、映像品質評価装置１５１とも称する。図４では、４つの分割映像信号に対応して設けられた４つの映像品質評価装置１５１を代表的に示しているが、分割映像信号ごとの複数の映像品質評価装置１５１が設けられていればよい。
【００９０】
映像信号検査システム３０２における映像品質評価装置１５１、テスト映像生成装置１６１、ＳＴＢ１６２および記録装置１６３の動作は、図１に示す映像信号検査システム３０１における映像品質評価装置１５１、テスト映像生成装置１６１、ＳＴＢ１６２および記録装置１６３とそれぞれ同様である。
【００９１】
映像信号検査システム３０２における映像信号分割装置１０２は、たとえば、映像信号ＰＳ１に対応するすべての分割映像信号、具体的には分割映像信号ＤＰＳ１、ＤＰＳ２、ＤＰＳ３およびＤＰＳ４を送信する。
【００９２】
より詳細には、たとえば、映像信号分割装置１０２は、映像信号ＰＳ１をＳＴＢ１６２から受信すると、受信した映像信号ＰＳ１からテスト映像ＴＰ１を取得し、非特許文献４に記載されたＳｑｕａｒｅ  ｄｉｖｉｓｉｏｎの方法に従って、取得したテスト映像ＴＰ１を４つに分割することにより２Ｋ映像ＤＰ１、ＤＰ２、ＤＰ３およびＤＰ４を生成する。
【００９３】
映像信号分割装置１０２は、たとえば、生成した２Ｋ映像ＤＰ１、ＤＰ２、ＤＰ３およびＤＰ４をそれぞれ示す分割映像信号ＤＰＳ１、ＤＰＳ２、ＤＰＳ３およびＤＰＳ４を、対応の映像品質評価装置１５１Ａ、１５１Ｂ、１５１Ｃおよび１５１ＤへＳＤＩケーブル経由でそれぞれ送信する。
【００９４】
映像品質評価装置１５１Ａ、１５１Ｂ、１５１Ｃおよび１５１Ｄは、たとえば、それぞれ、映像信号分割装置１０２から分割映像信号ＤＰＳ１、ＤＰＳ２、ＤＰＳ３およびＤＰＳ４を受信すると、受信した分割映像信号ＤＰＳ１、ＤＰＳ２、ＤＰＳ３およびＤＰＳ４に基づいて映像信号ＰＳ１に関する評価を行う。
【００９５】
具体的には、映像品質評価装置１５１Ａ、１５１Ｂ、１５１Ｃおよび１５１Ｄは、たとえば、分割映像信号ＤＰＳ１、ＤＰＳ２、ＤＰＳ３およびＤＰＳ４から２Ｋ映像ＤＰ１、ＤＰ２、ＤＰ３およびＤＰ４をそれぞれ取得し、取得した各２Ｋ映像の画像および音声の評価を行う。
【００９６】
このように、映像信号分割装置１０２が、映像信号ＰＳ１に対応するすべての分割映像信号ＤＰＳ１、ＤＰＳ２、ＤＰＳ３およびＤＰＳ４を映像品質評価装置１５１Ａ、１５１Ｂ、１５１Ｃおよび１５１Ｄへそれぞれ送信する構成により、テスト映像ＴＰ１全体を自動かつリアルタイムで評価することができるので、たとえばテスト映像ＴＰ１において局所的に発生するノイズの評価を適切に行うことができる。
【００９７】
映像品質評価装置１５１Ａ、１５１Ｂ、１５１Ｃおよび１５１Ｄは、たとえば、それぞれ２Ｋ映像ＤＰ１、ＤＰ２、ＤＰ３およびＤＰ４の評価が完了すると、ＲＳ２３２Ｃ等の通信規格に従って評価結果を記録装置１６３へ送信する。
【００９８】
記録装置１６３は、たとえば、映像品質評価装置１５１Ａ、１５１Ｂ、１５１Ｃおよび１５１Ｄからそれぞれ評価結果を受信すると、受信した各評価結果をファイル等に記録する。評価者は、たとえば、記録装置１６３により記録された各ファイルの内容を参照してテスト映像ＴＰ１全体の品質の評価結果を認識することができる。
【００９９】
［動作］
図５は、本発明の第２の実施の形態に係る映像信号検査システムにおいてテスト映像の評価処理が行われる際のシーケンスの一例を示す図である。
【０１００】
図５を参照して、ステップＳ２０２〜Ｓ２１２の動作は、図３に示すステップＳ１０２〜Ｓ１１２の動作と同様である。
【０１０１】
次に、映像信号分割装置１０２は、２Ｋ映像ＤＰ１を示す分割映像信号ＤＰＳ１をＳＤＩケーブル経由で映像品質評価装置１５１Ａへ送信する（ステップＳ２１４）。
【０１０２】
また、映像信号分割装置１０２は、２Ｋ映像ＤＰ２を示す分割映像信号ＤＰＳ２をＳＤＩケーブル経由で映像品質評価装置１５１Ｂへ送信する（ステップＳ２１６）。
【０１０３】
また、映像信号分割装置１０２は、２Ｋ映像ＤＰ３を示す分割映像信号ＤＰＳ３をＳＤＩケーブル経由で映像品質評価装置１５１Ｃへ送信する（ステップＳ２１８）。
【０１０４】
また、映像信号分割装置１０２は、２Ｋ映像ＤＰ４を示す分割映像信号ＤＰＳ４をＳＤＩケーブル経由で映像品質評価装置１５１Ｄへ送信する（ステップＳ２２０）。
【０１０５】
次に、映像品質評価装置１５１Ａは、映像信号分割装置１０２から分割映像信号ＤＰＳ１を受信すると、受信した分割映像信号ＤＰＳ１に基づいて映像信号ＰＳ１に関する評価を行う。具体的には、映像品質評価装置１５１Ａは、分割映像信号ＤＰＳ１に含まれる２Ｋ映像ＤＰ１の表示および音声の評価を行う（ステップＳ２２２）。
【０１０６】
また、映像品質評価装置１５１Ｂは、映像信号分割装置１０２から分割映像信号ＤＰＳ２を受信すると、受信した分割映像信号ＤＰＳ２に基づいて映像信号ＰＳ１に関する評価を行う。具体的には、映像品質評価装置１５１Ｂは、分割映像信号ＤＰＳ２に含まれる２Ｋ映像ＤＰ２の表示および音声の評価を行う（ステップＳ２２４）。
【０１０７】
また、映像品質評価装置１５１Ｃは、映像信号分割装置１０２から分割映像信号ＤＰＳ３を受信すると、受信した分割映像信号ＤＰＳ３に基づいて映像信号ＰＳ１に関する評価を行う。具体的には、映像品質評価装置１５１Ｃは、分割映像信号ＤＰＳ３に含まれる２Ｋ映像ＤＰ３の表示および音声の評価を行う（ステップＳ２２６）。
【０１０８】
また、映像品質評価装置１５１Ｄは、映像信号分割装置１０２から分割映像信号ＤＰＳ４を受信すると、受信した分割映像信号ＤＰＳ４に基づいて映像信号ＰＳ１に関する評価を行う。具体的には、映像品質評価装置１５１Ｄは、分割映像信号ＤＰＳ４に含まれる２Ｋ映像ＤＰ４の表示および音声の評価を行う（ステップＳ２２８）。
【０１０９】
次に、映像品質評価装置１５１Ａは、２Ｋ映像ＤＰ１の評価結果を記録装置１６３へ送信する（ステップＳ２３０）。
【０１１０】
また、映像品質評価装置１５１Ｂは、２Ｋ映像ＤＰ２の評価結果を記録装置１６３へ送信する（ステップＳ２３２）。
【０１１１】
また、映像品質評価装置１５１Ｃは、２Ｋ映像ＤＰ３の評価結果を記録装置１６３へ送信する（ステップＳ２３４）。
【０１１２】
また、映像品質評価装置１５１Ｄは、２Ｋ映像ＤＰ４の評価結果を記録装置１６３へ送信する（ステップＳ２３６）。
【０１１３】
なお、上記ステップＳ２１４〜Ｓ２２０の順番は、上記に限らず、一部または全部の順番を変更してもよい。また、上記ステップＳ２２２〜Ｓ２２８の順番は、上記に限らず、一部または全部の順番を変更してもよい。また、上記ステップＳ２３０〜Ｓ２３６の順番は、上記に限らず、一部または全部の順番を変更してもよい。
【０１１４】
以上のように、本発明の第２の実施の形態に係る映像信号検査システムでは、映像信号分割装置１０２は、映像信号ＰＳ１に対応するすべての分割映像信号ＤＰＳ１〜ＤＰＳ４を送信する。そして、映像信号検査システム３０２は、分割映像信号ごとに設けられた映像品質評価装置１５１Ａ，１５１Ｂ，１５１Ｃ，１５１Ｄを備える。
【０１１５】
このような構成により、たとえば４Ｋ映像全体の品質評価を自動かつリアルタイムで行うことができる。
【０１１６】
その他の構成および動作は第１の実施の形態に係る映像信号検査システムと同様であるため、ここでは詳細な説明を繰り返さない。
【０１１７】
次に、本発明の他の実施の形態について図面を用いて説明する。なお、図中同一または相当部分には同一符号を付してその説明は繰り返さない。
【０１１８】
＜第３の実施の形態＞
本実施の形態は、第１の実施の形態に係る映像信号検査システムと比べて、ＳＴＢにおける遅延を評価可能な映像信号検査システムに関する。以下で説明する内容以外は第１の実施の形態に係る映像信号検査システムと同様である。
【０１１９】
［映像信号検査システムの構成および基本動作］
図６は、本発明の第３の実施の形態に係る映像信号検査システムの構成を示す図である。
【０１２０】
図６を参照して、映像信号検査システム３０３は、映像信号分割装置（受信部および変換部）１０１と、映像信号統合装置（信号生成部）１２１と、映像品質評価装置（評価部）１５２と、ＳＴＢ１６２と、記録装置１６３と、リアルタイムエンコーダ１６４と、テスト映像生成装置１６５とを備える。
【０１２１】
映像信号検査システム３０３における映像信号分割装置１０１、ＳＴＢ１６２および記録装置１６３の動作は、図１に示す映像信号検査システム３０１における映像信号分割装置１０１、ＳＴＢ１６２および記録装置１６３とそれぞれ同様である。
【０１２２】
図７は、本発明の第３の実施の形態に係る映像信号検査システムにおいて用いられるテスト映像の一例を示す図である。
【０１２３】
図６および図７を参照して、映像信号検査システム３０３における映像品質評価装置１５２は、たとえば、ＳＴＢ１６２における４Ｋ映像の処理に要する時間すなわち遅延時間を計測する。
【０１２４】
より詳細には、映像品質評価装置１５２は、たとえば、映像の品質を評価するための毎秒６０フレームの２Ｋ映像である２Ｋテスト映像ＤＴＰを用いてＳＴＢ１６２における遅延時間を間接的に計測する。
【０１２５】
具体的には、映像品質評価装置１５２は、たとえば、生成した２Ｋテスト映像ＤＴＰの画像および音声を映像信号統合装置１２１へ送信してから、映像信号統合装置１２１、リアルタイムエンコーダ１６４、テスト映像生成装置１６５、ＳＴＢ１６２および映像信号分割装置１０１において処理された当該画像および当該音声を映像信号分割装置１０１から受信するまでの遅延時間ＤｐｉｃおよびＤｓｎｄをそれぞれ計測する。
【０１２６】
そして、映像品質評価装置１５２は、たとえば、計測した遅延時間Ｄｐｉｃから映像信号統合装置１２１、リアルタイムエンコーダ１６４、テスト映像生成装置１６５および映像信号分割装置１０１における画像処理時間の合計を差し引くことによりＳＴＢ１６２における画像処理の遅延時間Ｄｐｓｔｂを間接的に算出する。
【０１２７】
なお、映像信号統合装置１２１、リアルタイムエンコーダ１６４、テスト映像生成装置１６５および映像信号分割装置１０１における画像処理時間は、予め実測した値でもよいし、仕様値でもよい。
【０１２８】
映像品質評価装置１５２は、たとえば、ＳＴＢ１６２における音声処理の遅延時間Ｄｓｓｔｂについても画像処理の遅延時間Ｄｐｓｔｂと同様に算出する。
【０１２９】
２Ｋテスト映像ＤＴＰは、たとえば番組もしくは映画、またはカラーバー等のテストパターンである。また、２Ｋテスト映像ＤＴＰには、たとえば、遅延時間ＤｐｉｃおよびＤｓｎｄを計測するための遅延確認表示および遅延確認音声が含まれる。この遅延確認表示および遅延確認音声は、たとえば同期確認表示および同期確認音声の機能もそれぞれ兼ねている。
【０１３０】
ここで、遅延確認表示は、たとえばバーコード等の識別子である。当該識別子は、たとえば当該遅延確認表示を含む画像が映像品質評価装置１５２から送信される時刻を示す。また、遅延確認音声は、たとえば当該識別子の内容すなわち送信時刻を示す音声である。具体的には、同期確認音声はたとえばビット列を表す音声である。
【０１３１】
映像品質評価装置１５２は、たとえば、評価用の映像信号ＰＳ３に対応する複数の分割映像信号のうちの一部の分割映像信号を送信する。
【０１３２】
具体的には、映像品質評価装置１５２は、たとえば、２Ｋテスト映像ＤＴＰを示す分割映像信号ＤＰＳ５を映像信号統合装置１２１へＳＤＩケーブル経由で送信する。
【０１３３】
映像信号統合装置１２１は、たとえば、映像品質評価装置１５２から受信した分割映像信号ＤＰＳ５を一部として含む映像信号ＰＳ３を生成して他の装置、具体的にはリアルタイムエンコーダ１６４へ送信する。
【０１３４】
たとえば、映像信号統合装置１２１は、４つの分割映像信号から４つの２Ｋ映像をそれぞれ取得し、取得した４つの２Ｋ映像を含む４Ｋ映像を生成することが可能である。
【０１３５】
映像信号統合装置１２１は、たとえば、分割映像信号の入力ポートとして、左上入力ポート、左下入力ポート、右下入力ポートおよび右上入力ポートを有している。左上入力ポート、左下入力ポート、右下入力ポートおよび右上入力ポートは、たとえば４Ｋ映像における左上、左下、右下および右上の２Ｋ映像にそれぞれ対応する。
【０１３６】
映像信号統合装置１２１は、たとえば、映像品質評価装置１５２から分割映像信号ＤＰＳ５を左上入力ポート経由で受信すると、受信した分割映像信号ＤＰＳ５から２Ｋテスト映像ＤＴＰを取得する。なお、映像信号統合装置１２１は、左上入力ポート以外の入力ポート経由で分割映像信号ＤＰＳ５を映像品質評価装置１５２から受信してもよい。
【０１３７】
この例では、映像信号統合装置１２１では、たとえば、左下入力ポート、右下入力ポートおよび右上入力ポートにおいて信号を受信しない。このため、映像信号統合装置１２１は、左下、右下および右上の２Ｋ映像として、たとえばブランクの２Ｋ映像ＤＰ６、ＤＰ７およびＤＰ８をそれぞれ生成する。
【０１３８】
映像信号統合装置１２１は、たとえば、２Ｋテスト映像ＤＴＰならびに２Ｋ映像ＤＰ６、ＤＰ７およびＤＰ８を含む毎秒６０フレームのテスト映像ＴＰ３を生成する。
【０１３９】
映像信号統合装置１２１は、たとえば、生成したテスト映像ＴＰ３を示す映像信号ＰＳ３をリアルタイムエンコーダ１６４へ送信する。
【０１４０】
図６を参照して、リアルタイムエンコーダ１６４は、たとえば、映像信号統合装置１２１から映像信号ＰＳ３を受信すると、受信した映像信号ＰＳ３からテスト映像ＴＰ３を取得し、取得したテスト映像ＴＰ３をリアルタイムで圧縮することにより圧縮テスト映像ＣＴＰ３を生成する。
【０１４１】
リアルタイムエンコーダ１６４は、たとえば、生成した圧縮テスト映像ＣＴＰ３をテスト映像生成装置１６５へ送信する。
【０１４２】
テスト映像生成装置１６５は、たとえば、リアルタイムエンコーダ１６４から圧縮テスト映像ＣＴＰ３を受信すると、受信した圧縮テスト映像ＣＴＰ３をＴＴＳパケットに格納し、当該ＴＴＳパケットをＩＰプロトコルに従ってＳＴＢ１６２へインターネットまたはＬＡＮ経由で送信する。
【０１４３】
なお、テスト映像生成装置１６５は、圧縮テスト映像ＣＴＰ３をＴＳパケットに格納し、当該ＴＳパケットをＲＦ信号に含めてＳＴＢ１６２へ送信してもよい。
【０１４４】
ＳＴＢ１６２は、たとえば、ＴＴＳパケットを含むＩＰパケットをテスト映像生成装置１６５から受信すると、受信したＩＰパケットに含まれるＴＴＳパケットから圧縮テスト映像ＣＴＰ３を取得する。そして、ＳＴＢ１６２は、たとえば、取得した圧縮テスト映像ＣＴＰ３をデコードすることにより非圧縮のテスト映像ＴＰ３を再生する。
【０１４５】
ＳＴＢ１６２は、たとえば、再生したテスト映像ＴＰ３を示す信号である映像信号ＰＳ３をＨＤＭＩ規格に従って映像信号分割装置１０１へ送信する。
【０１４６】
映像信号分割装置１０１は、たとえば、他の装置、具体的には、リアルタイムエンコーダ１６４、テスト映像生成装置１６５およびＳＴＢ１６２を介して映像信号ＰＳ３を受信する。そして、映像信号分割装置１０１は、受信した映像信号ＰＳ３に対応する複数の分割映像信号のうちの一部の分割映像信号を送信する。
【０１４７】
より詳細には、映像信号分割装置１０１は、たとえば、映像信号ＰＳ３をＳＴＢ１６２から受信すると、受信した映像信号ＰＳ３からテスト映像ＴＰ３を取得する。そして、映像信号分割装置１０１は、たとえば、非特許文献４に記載されたＳｑｕａｒｅ  ｄｉｖｉｓｉｏｎの方法に従って、取得したテスト映像ＴＰ３を４つに分割することにより２Ｋテスト映像ＤＴＰならびに２Ｋ映像ＤＰ６、ＤＰ７およびＤＰ８を生成する。
【０１４８】
映像信号分割装置１０１は、たとえば、２Ｋテスト映像ＤＴＰならびに２Ｋ映像ＤＰ６、ＤＰ７およびＤＰ８をそれぞれ示す信号である分割映像信号ＤＰＳ５、ＤＰＳ６、ＤＰＳ７およびＤＰＳ８を生成することが可能である。
【０１４９】
映像信号分割装置１０１は、たとえば、分割映像信号ＤＰＳ５、ＤＰＳ６、ＤＰＳ７およびＤＰＳ８のうちの分割映像信号ＤＰＳ５をＳＤＩケーブル経由で映像品質評価装置１５２へ送信する。
【０１５０】
映像品質評価装置１５２は、映像信号分割装置１０１から受信した分割映像信号ＤＰＳ５に基づいて映像信号ＰＳ３に関する評価を行う。
【０１５１】
具体的には、映像品質評価装置１５２は、たとえば、映像信号分割装置１０１から分割映像信号ＤＰＳ５を受信すると、受信した分割映像信号ＤＰＳ５から２Ｋテスト映像ＤＴＰを取得する。
【０１５２】
そして、映像品質評価装置１５２は、たとえば、取得した２Ｋテスト映像ＤＴＰの表示および音声の評価に加えて、ＳＴＢ１６２における遅延時間を評価する。
【０１５３】
具体的には、映像品質評価装置１５２は、たとえば、２Ｋテスト映像ＤＴＰにおける、画面全体に及ぶフレームスキップ、画面全体のノイズ、ブラックアウト、ならびに画像および音声の同期の評価に加えて、ＳＴＢ１６２における遅延時間Ｄｐｓｔｂ，Ｄｓｓｔｂを算出する。
【０１５４】
より詳細には、映像品質評価装置１５２は、たとえば、２Ｋテスト映像ＤＴＰに含まれる画像における遅延確認表示に基づいて遅延時間Ｄｐｉｃを算出する。
【０１５５】
具体的には、映像品質評価装置１５２は、たとえば、当該画像を受信した受信時刻から遅延確認表示の示す当該画像の送信時刻を差し引くことにより遅延時間Ｄｐｉｃを算出する。
【０１５６】
映像品質評価装置１５２は、たとえば、計測した遅延時間Ｄｐｉｃから映像信号統合装置１２１、リアルタイムエンコーダ１６４、テスト映像生成装置１６５および映像信号分割装置１０１における上述の画像処理時間の合計を差し引くことによりＳＴＢ１６２における遅延時間Ｄｐｓｔｂを算出する。
【０１５７】
また、映像品質評価装置１５２は、たとえば、２Ｋテスト映像ＤＴＰに含まれる遅延確認音声に基づいて遅延時間Ｄｓｎｄを算出する。
【０１５８】
具体的には、映像品質評価装置１５２は、たとえば、当該音声を受信した受信時刻から遅延確認音声の表すビット列の内容である送信時刻を差し引くことにより遅延時間Ｄｓｎｄを算出する。
【０１５９】
映像品質評価装置１５２は、たとえば、計測した遅延時間Ｄｓｎｄから映像信号統合装置１２１、リアルタイムエンコーダ１６４、テスト映像生成装置１６５および映像信号分割装置１０１における上述の音声処理時間の合計を差し引くことによりＳＴＢ１６２における遅延時間Ｄｓｓｔｂを算出する。
【０１６０】
映像品質評価装置１５２は、たとえば、２Ｋテスト映像ＤＴＰの評価が完了すると、ＲＳ２３２Ｃ等の通信規格に従って評価結果を記録装置１６３へ送信する。
【０１６１】
記録装置１６３は、たとえば、映像品質評価装置１５２から評価結果を受信すると、受信した評価結果をファイル等に記録する。評価者は、たとえば、記録装置１６３により記録されたファイルの内容を参照して２Ｋテスト映像ＤＴＰの品質の評価結果を認識することができる。
【０１６２】
［動作］
図８は、本発明の第３の実施の形態に係る映像信号検査システムにおいて２Ｋテスト映像の評価処理が行われる際のシーケンスの一例を示す図である。
【０１６３】
図８を参照して、まず、映像品質評価装置１５２は、２Ｋテスト映像ＤＴＰを生成する（ステップＳ３０２）。
【０１６４】
次に、映像品質評価装置１５２は、生成した２Ｋテスト映像ＤＴＰを示す分割映像信号ＤＰＳ５を映像信号統合装置１２１へ送信する（ステップＳ３０４）。
【０１６５】
次に、映像信号統合装置１２１は、映像品質評価装置１５２から分割映像信号ＤＰＳ５を受信すると、受信した分割映像信号ＤＰＳ５から２Ｋテスト映像ＤＴＰを取得するとともに、ブランクの２Ｋ映像ＤＰ６、ＤＰ７およびＤＰ８をそれぞれ生成する。そして、映像信号統合装置１２１は、２Ｋテスト映像ＤＴＰならびに２Ｋ映像ＤＰ６、ＤＰ７およびＤＰ８を含むテスト映像ＴＰ３を生成する（ステップＳ３０６）。
【０１６６】
次に、映像信号統合装置１２１は、生成したテスト映像ＴＰ３を示す映像信号ＰＳ３をリアルタイムエンコーダ１６４へ送信する（ステップＳ３０８）。
【０１６７】
次に、リアルタイムエンコーダ１６４は、映像信号統合装置１２１から映像信号ＰＳ３を受信すると、受信した映像信号ＰＳ３からテスト映像ＴＰ３を取得し、取得したテスト映像ＴＰ３をリアルタイムで圧縮することにより圧縮テスト映像ＣＴＰ３を生成する（ステップＳ３１０）。
【０１６８】
次に、リアルタイムエンコーダ１６４は、生成した圧縮テスト映像ＣＴＰ３をテスト映像生成装置１６５へ送信する（ステップＳ３１２）。
【０１６９】
次に、テスト映像生成装置１６５は、リアルタイムエンコーダ１６４から圧縮テスト映像ＣＴＰ３を受信すると、受信した圧縮テスト映像ＣＴＰ３をたとえばＴＴＳパケットに格納する（ステップＳ３１４）。
【０１７０】
次に、テスト映像生成装置１６５は、当該ＴＴＳパケットを含むＩＰパケットをＳＴＢ１６２へ送信する（ステップＳ３１６）。
【０１７１】
次に、ＳＴＢ１６２は、ＴＴＳパケットを含むＩＰパケットをテスト映像生成装置１６５から受信すると、受信したＩＰパケットに含まれるＴＴＳパケットから圧縮テスト映像ＣＴＰ３を取得し、取得した圧縮テスト映像ＣＴＰ３をデコードすることによりテスト映像ＴＰ３を再生する（ステップＳ３１８）。
【０１７２】
次に、ＳＴＢ１６２は、テスト映像ＴＰ３を含む映像信号ＰＳ３をＨＤＭＩ規格に従って映像信号分割装置１０１へ送信する（ステップＳ３２０）。
【０１７３】
次に、映像信号分割装置１０１は、ＳＴＢ１６２から映像信号ＰＳ３を受信すると、受信した映像信号ＰＳ３からテスト映像ＴＰ３を取得し、取得したテスト映像ＴＰ３を４つに分割することにより２Ｋテスト映像ＤＴＰならびに２Ｋ映像ＤＰ６、ＤＰ７およびＤＰ８を生成する（ステップＳ３２２）。
【０１７４】
次に、映像信号分割装置１０１は、２Ｋテスト映像ＤＴＰを示す分割映像信号ＤＰＳ５をＳＤＩケーブル経由で映像品質評価装置１５２へ送信する（ステップＳ３２４）。
【０１７５】
次に、映像品質評価装置１５２は、映像信号分割装置１０１から分割映像信号ＤＰＳ５を受信すると、受信した分割映像信号ＤＰＳ５に基づいて映像信号ＰＳ３に関する評価を行う。具体的には、映像品質評価装置１５２は、分割映像信号ＤＰＳ５に含まれる２Ｋテスト映像ＤＴＰの表示および音声、ならびにＳＴＢ１６２における遅延時間を評価する（ステップＳ３２６）。
【０１７６】
次に、映像品質評価装置１５２は、２Ｋテスト映像ＤＴＰの評価結果を記録装置１６３へ送信する（ステップＳ３２８）。
【０１７７】
なお、本発明の第３の実施の形態に係る映像信号検査システムでは、映像品質評価装置１５２は、評価用の映像信号ＰＳ３に対応する複数の分割映像信号のうちの１つの分割映像信号を送信する構成であるとしたが、これに限定するものではない。映像品質評価装置１５２は、複数の分割映像信号のうちの一部である複数の分割映像信号を送信する構成であってもよい。
【０１７８】
以上のように、本発明の第３の実施の形態に係る映像信号検査システムでは、映像品質評価装置１５２は、評価用の映像信号ＰＳ３に対応する複数の分割映像信号のうちの一部の分割映像信号、たとえば分割映像信号ＤＰＳ５を送信する。映像信号統合装置１２１は、映像品質評価装置１５２から受信した分割映像信号ＤＰＳ５を一部として含む映像信号ＰＳ３を生成して他の装置、具体的にはリアルタイムエンコーダ１６４へ送信する。そして、映像信号分割装置１０１は、他の装置、具体的には、リアルタイムエンコーダ１６４、テスト映像生成装置１６５およびＳＴＢ１６２を介して映像信号ＰＳ３を受信する。
【０１７９】
このように、映像品質評価装置１５２が、分割映像信号ＤＰＳ５を映像信号統合装置１２１へ送信し、当該分割映像信号ＤＰＳ５を映像信号分割装置１０１から受信する構成により、映像信号統合装置１２１、リアルタイムエンコーダ１６４、テスト映像生成装置１６５、ＳＴＢ１６２および映像信号分割装置１０１における分割映像信号ＤＰＳ５または対応の映像信号ＰＳ３の処理時間の合計を計測することができるので、映像信号検査システム３０１における信号処理の遅延時間を評価することができる。
【０１８０】
その他の構成および動作は第１の実施の形態に係る映像信号検査システムと同様であるため、ここでは詳細な説明を繰り返さない。
【０１８１】
なお、本発明の第１の実施の形態〜第３の実施の形態に係る各装置の構成要素および動作のうち、一部または全部を適宜組み合わせることも可能である。
【０１８２】
また、本発明の第１の実施の形態〜第３の実施の形態に係る映像信号検査システムは、４Ｋ映像を示す画面を分割した分割画面を示す分割映像信号に基づいて、４Ｋ映像を示す映像信号に関する評価を行う構成であるとしたが、これに限定するものではない。映像信号検査システムは、ある映像を示す画面を分割した分割画面を示す分割映像信号に基づいて、当該ある映像を示す映像信号に関する評価を行う構成であればよい。
【０１８３】
具体的には、映像信号検査システムは、たとえば、７６８０×４３２０の解像度を有する映像（以下、８Ｋ映像とも称する。）を示す画面を分割した分割画面を示す分割映像信号に基づいて、８Ｋ映像を示す映像信号に関する評価を行う構成であってもよい。ここで、分割映像信号の示す映像は、２Ｋ映像でもよいし、４Ｋ映像でもよい。
【０１８４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１８５】
以上の説明は、以下に付記する特徴を含む。
【０１８６】
［付記１］
映像を示し、かつ前記映像の画面を分割した複数の分割画面をそれぞれ示す複数の分割映像信号を生成可能な映像信号を受信する受信部と、
前記受信部によって受信された前記映像信号に対応する前記複数の分割映像信号のうちの一部の前記分割映像信号を出力する変換部と、
前記変換部から受けた前記分割映像信号に基づいて前記映像信号に関する評価を行う評価部とを備え、
前記映像は、２１６０ｐの規格に従う、３８４０×２１６０の解像度を有する映像である４Ｋ映像であり、
前記複数の分割映像信号は、前記４Ｋ映像の画面を分割した４つの分割画面をそれぞれ示し、
前記変換部は、前記受信部によって受信された前記映像信号に対応する４つの前記分割映像信号のうちの１つを出力する、映像信号検査システム。
【符号の説明】
【０１８７】
１０１，１０２  映像信号分割装置（受信部および変換部）
１２１  映像信号統合装置（信号生成部）
１５１，１５２  映像品質評価装置（評価部）
１６１，１６５  テスト映像生成装置
１６２  ＳＴＢ
１６３  記録装置
１６４  リアルタイムエンコーダ
３０１，３０２，３０３  映像信号検査システム
【図１】
2017069702.tif 000003
【図２】
2017069702.tif 000004
【図３】
2017069702.tif 000005
【図４】
2017069702.tif 000006
【図５】
2017069702.tif 000007
【図６】
2017069702.tif 000008
【図７】
2017069702.tif 000009
【図８】
2017069702.tif 000010